(57)【要約】【課題】  光学性能を優先してドームカバーの大径化、薄肉化を行ったとしても、監視カメラ装置の大型化を避けつつ、カメラユニットへの衝撃を緩和する監視カメラ装置を提供することである。【解決手段】  本発明の撮像装置は、レンズ及び撮像素子を含むカメラユニットと、カメラユニットを覆うドームカバーと、カメラユニットとドームカバーとの間に配されたインナーカバーと、ドームカバーに押圧力が印加されると、インナーカバーをドームカバー側に移動させる移動機構部とを備えることを特徴とする。【選択図】  図４
2020177117.tif 000002
【特許請求の範囲】
【請求項１】
レンズ及び撮像素子を含むカメラユニットと、
前記カメラユニットを覆うドームカバーと、
前記カメラユニットと前記ドームカバーとの間に配されたインナーカバーと、
前記ドームカバーに押圧力が印加されると、前記インナーカバーを前記ドームカバー側に移動させる移動機構部と、を備えることを特徴とする撮像装置。
【請求項２】
前記カメラユニットをチルト回転可能に支持するパン回転部と、
前記パン回転部をパン回転可能に支持するベース部と、を有し、
前記移動機構部は、前記ベース部に設けられていることを特徴とする請求項１に記載の撮像装置。
【請求項３】
前記移動機構部は、前記ベース部から立設した複数の回転支持部と、前記回転支持部に支持される回転部材と、を有し、
前記回転部材は、前記インナーカバーと接触していることを特徴とする、請求項１または２に記載の撮像装置。
【請求項４】
前記移動機構部は、一端部が前記ドームカバーに接触し、他端部が前記回転部材と接触するスライド部材を有することを特徴とする、請求項３に記載の撮像装置。
【請求項５】
前記回転部材は、前記ドームカバーに押圧力が加えられた際に、前記スライド部材によって押圧されることで回転し、前記インナーカバーを前記ドームカバー側に移動させることを特徴とする、請求項４に記載の撮像装置。
【請求項６】
前記回転部材は、一端部がスライド部材と接触し、他端部が前記インナーカバーと接触していることを特徴とする、請求項４または５に記載の撮像装置
【請求項７】
前記移動機構部は、前記ベース部から立設した複数の回転支持部と、前記回転支持部に支持される回転部材と、
前記回転部材と前記インナーカバーとの間に配置されるコロ部材と、を有し、
前記コロ部材は、前記ドームカバーに押圧力が加えられた際に、回転することで、前記インナーカバーを前記ドームカバー側に移動させることを特徴とする、請求項１または２のいずれかに記載の撮像装置。
【請求項８】
前記移動機構部は、前記コロ部材を付勢する付勢部材を有することを特徴とする請求項７に記載の撮像装置。
【請求項９】
前記インナーカバーは、前記ドームカバーをオフセットした半球形状であり、
且つ、前記カメラユニットのチルト方向に回転する範囲における光線領域を避ける長穴部を有していることを特徴とする請求項１乃至８のいずれか一項に記載の撮像装置。
【発明の詳細な説明】
【技術分野】
【０００１】
本発明は、耐衝撃性能を備えた監視カメラなどの撮像装置に関するものである。
【背景技術】
【０００２】
従来より、監視カメラ装置は、カメラユニットを覆うドームカバーを耐衝撃性のある透明、あるいは、半透明な樹脂部材で構成し、カメラユニット全体を覆う外装筐体を金属部材で構成することで耐衝撃性能を付加している。
【０００３】
しかし、ドームカバーは衝撃により大きな変形を伴うことがあり、変形したドームカバーがカメラユニット等の内部構造部品と接触し、部品が損傷することがあった。このような問題を解決するために、例えば、特許文献１では、インナーカバー及びアウターカバーから成るドームカバーで覆われたカメラユニットを備えたドーム型カメラ装置がある。このドーム型カメラ装置においては、衝撃によるドームカバーの変形に対し、インナーカバー及びカメラユニットが退避することで損傷を防ぐ構造になっている。
【０００４】
より具体的には、カメラユニットをチルト回転支持するチルトテーブルと、チルトテーブルをパン回転支持するパンテーブルと、チルトテーブルをパンテーブルと反対方向に付勢する弾性部材と、を備えている。チルトテーブルはパンテーブルの方向に移動可能で、インナーカバーは、チルトテーブルに取り付けられている。
【０００５】
この構成において、外部から衝撃力が加えられてアウターカバーが凹み、インナーカバーに当たると、インナーカバーは、チルトテーブルとともに弾性部材を弾性変形させながら、パンテーブルの方向に移動する。この移動により衝撃力が緩和され、インナーカバーはチルトテーブルから外れることなく撮影を続行することができる。
【先行技術文献】
【特許文献】
【０００６】
【特許文献１】特開２０１０−１９７９３８号公報
【発明の概要】
【発明が解決しようとする課題】
【０００７】
しかしながら、監視カメラ装置において、光学性能を優先してドームカバーの大径化、薄肉化を行うと、衝撃印加時にドームカバーの変形量が大きくなるおそれがあった。そのため、ドームカバーとカメラユニットの距離を大きくしたり、または、特許文献１のようにカメラユニットの退避機構を設けた場合には、退避量を大きくする必要があった。よって、監視カメラ装置の大型化を避けるため、光学性能を優先できなかったという課題があった。
【０００８】
本発明の目的は、光学性能を優先してドームカバーの大径化、薄肉化を行ったとしても、監視カメラ装置の大型化を避けつつ、カメラユニットへの衝撃を緩和する監視カメラ装置を提供することである。
【課題を解決するための手段】
【０００９】
上記の課題を解決するために、本発明の撮像装置は、レンズ及び撮像素子を含むカメラユニットと、前記カメラユニットを覆うドームカバーと、前記カメラユニットと前記ドームカバーとの間に配されたインナーカバーと、前記ドームカバーに押圧力が印加されると、前記インナーカバーを前記ドームカバー側に移動させる移動機構部と、を備える。
【発明の効果】
【００１０】
本発明によれば、光学性能を優先してドームカバーの大径化、薄肉化を行ったとしても、監視カメラ装置の大型化を避けつつ、カメラユニットへの衝撃を緩和する。
【図面の簡単な説明】
【００１１】
【図１】本発明の第１の実施形態に係る監視カメラ装置の一部が断面図である分解斜視図
【図２】本発明の第１の実施形態に係る撮像ユニットの分解斜視図
【図３】本発明の第１の実施形態に係る通常状態の監視カメラ装置の断面図
【図４】本発明の第１の実施形態に係る衝撃印加時の監視カメラ装置の断面図
【図５】本発明の第２の実施形態に係る撮像ユニットの斜視図および一部拡大図
【発明を実施するための形態】
【００１２】
＜第１の実施形態＞
図１は、第１の実施形態に係る撮像装置、具体的には、監視カメラ装置１の分解斜視図で、一部、トップケースユニット４が部分断面図になっている。図２は、撮像ユニット３の分解斜視図である。
【００１３】
なお、図１に示すように監視カメラ装置１に対して、矢印１ａの方向を上方向、矢印１ｂ方向を下方向、または、矢印１ａおよび矢印１ｂをまとめて垂直方向、矢印１ｃの方向を水平方向、とする。
【００１４】
監視カメラ装置１は、カメラユニット２を有する撮像ユニット３と、撮像ユニット３を覆って保護する外装部品であるトップケースユニット４およびボトムケース７と、から成る。トップケースユニット４は複数のネジ８により、ボトムケース７に固定される。ボトムケース７は、監視カメラ装置１を設置する天井、あるいは、壁面などの設置面側に位置する金属製の外装部品である。また、トップケース５も金属製の外装部品である。
【００１５】
トップケース５とボトムケース７の間には、筐体パッキング９が挟持され、これにより、防水性、防塵性を有する。
【００１６】
ドームカバー６は、カメラユニット２の被写体側に配置されてカメラユニット２を保護する略半球状で、厚みを有した透明、あるいは、半透明の樹脂部材から成る。
【００１７】
ドームカバー６は、フランジ部６ａを有し、フランジ部６ａをドーム弾性体１０が覆っている。トップケース５の内側の取付面５ａとドームホルダ１１でドーム弾性体１０を挟持した状態で複数の段付きネジ１２を用いてドームカバー６は、トップケース５に固定される。ドーム弾性体１０によって、ドームカバー６とトップケース５の間は、防水性、防塵性を有している。ドームカバー６が外部から押圧された場合、ドームカバー６は段付きネジ１２で固定されることでトップケース５及びボトムケース７に対してフローティングし、回転構造部１４によってインナーカバー１６をドームカバー６に接近させる。詳細は後述する。
【００１８】
撮像ユニット３は、主に、カメラユニット２、回転構造部１４、基台１５、および、カメラユニット２とドームカバー６との間に配されたインナーカバー１６、を有する。
【００１９】
実装基板１８は、不図示の映像処理エンジン、通信処理エンジン、メモリ、電源系ＩＣなどの実装部品が配設されている。また、外部インターフェースとして、不図示のＲＪ４５コネクタ、外部入力／出力コネクタ、電源接続コネクタ、音声入力／出力コネクタ、ビデオアウトコネクタ、ＳＤカードなどの外部メモリコネクタなどが実装されている。
【００２０】
実装基板１８は、基台１５の下側内面の複数のボス（不図示）にネジ（不図示）で固定されている。
【００２１】
カメラユニット２は、レンズ２ａ及び撮像素子（不図示）を含み、１対のチルト回転突起部２ｂと雌ネジ部２ｃを有している。
【００２２】
パン回転台１９（パン回転部）は、環状形状の環状部１９ａと、環状部１９ａから立設する一対のチルト支持部１９ｂを備え、チルト支持部１９ｂに設けられた孔１９ｃでカメラユニット２のチルト回転突起部２ｂを枢支する。チルト回転突起部２ｂの雌ネジ部２ｃに抜け止めのため抜止めネジ２０を締結することで、カメラユニット２はチルト回転可能に支持される。
【００２３】
さらに、チルト支持部１９ｂは、インナーカバー１６と摺動可能に接するスライド凸部１９ｄを有し、スライド凸部１９ｄにはバネ受け凸部１９ｅが設けられている。
【００２４】
パン回転台１９は、基台１５（ベース部）によりパン回転可能に支持され、基台１５は、ボトムケース７の底面７ａに固定される（図１（ａ）参照）。
【００２５】
移動機構部２１（図１（ａ）参照）は、回転構造部１４、トップケースユニット４側に取付けられたスライド部材２２を含むトップケースユニット４、から成る。回転構造部１４は、回転部材２６、基台１５の主面１５ａから立設した複数の回転支持部１５ｂ、から成る。
【００２６】
回転部材２６は、力点部２６ａ、支点部２６ｂ、作用点部２６ｃから成り、略平板形状の金属板である。力点部２６ａは、スライド部材２２の下部２２ａと当接する。作用点部２６ｃ（他端部）は、インナーカバー１６の底部１６ａと当接し、円滑に摺動するように当接摺動する。円滑に摺動させるのは、パン回転台１９およびインナーカバー１６は、基台１５に対してパン回転するので、パン回転の抵抗を増やさないためである。基台１５は、複数の回転支持部１５ｂにより、回転部材２６の支点部２６ｂを回転可能に支持する。
【００２７】
スライド部材２２（図１（ａ）参照）は、トップケースユニット４側のトップケース５の内壁に設けられたスライド溝５ｂに上下摺動可能な形状を有し、スライド蓋２３で脱落しないように取付けられている。また、転部材２６は、一端部がスライド部材２２と接触している。
【００２８】
インナーカバー１６は、ドームカバー６を内側に略オフセットした半球形状を有し、複数の補強リブ１６ｃを有した高剛性の樹脂部材から成る。インナーカバー１６は、カメラユニット２とパン回転台１９を覆い、カメラユニット２のチルト方向にチルト回転範囲において、カメラユニット２の撮影可能な光線領域を避ける長穴部１６ｂを有している。またインナーカバー１６は、ドームカバー側に移動可能に構成されている。
【００２９】
さらに、インナーカバー１６は、パン回転台１９のスライド凸部１９ｄと対応した位置にスライド溝１６ｄを有し、パン回転台１９に対して上下方向に円滑に摺動する。インナーカバー１６は、バネ２４を適度に圧縮した状態で、バネ止め部材２５を用いてパン回転台１９に取付けられている。バネ止め部材２５は、バネ２４を受止めるバネ受け凸部２５ａを有し、インナーカバー１６にネジ（不図示）で固定されている。
【００３０】
インナーカバー１６は、スライド凸部１９ｄの上面１９ｆとスライド溝１６ｄの上面１６ｅとが当接した状態を維持するように基台１５の方向にバネ２４で付勢されている（図１（ａ）も参照）。
【００３１】
次に図３を用いて、ドームカバー６に押圧力が印加される前の通常状態のときの監視カメラ装置１について説明する。
【００３２】
図３（ａ）は、左半分が図１（ａ）の「断面Ａ−Ａ」、右半分が図１（ａ）の「断面Ｂ−Ｂ」での監視カメラ装置１の断面図である。ただし、インナーカバー１６の先端部１６ｆは略左右対称的に図示している。図３（ｂ）は、詳細図３ｂ、図３（ｃ）は、詳細図３ｃである。
【００３３】
ドームカバー６は、頂点部６ｂと、その反対側の開口側に半球の外径より大きな径を有した凸形状のフランジ部６ａを有する。フランジ部６ａ（図１（ａ）参照）は、最外径の面の外径面６ｃ、開口側の開口面６ｄ、該開口面と略対向する対向面６ｅ、を有する。
【００３４】
対向面６ｅは、円柱部と該円柱部の先端面に近づくにつれて外径が小さくなるテーパー部を有する少なくとも２つの嵌合円柱凸部６ｆを有している。
【００３５】
ドーム弾性体１０（図１（ａ）も参照）は、環状形状を有した弾性体でシリコーンゴムなどのゴム部材から成り、ドームカバー６の外径面６ｃ、開口面６ｄ、対向面６ｅ、および、トップケース５の内側の取付面５ａ、と当接する。
【００３６】
さらに、ドーム弾性体１０は、ドームカバー６の嵌合円柱凸部６ｆが貫通する凸部貫通孔１０ａ、段付きネジ１２の段部１２ａが貫通する段部貫通孔１０ｂを有している。ドーム弾性体１０は、外周側にはスライド部材２２が上下に移動可能になるように空間である切欠き部１０ｃ（図１（ａ）参照）を有する。
【００３７】
ドームカバー６は、前述の通りフランジ部６ａにドーム弾性体１０を取付け、ドームホルダ１１を複数の段付きネジ１２で完全に締付けることで、ドーム弾性体１０は適度に圧縮された状態で、トップケース５に取付けられる。
【００３８】
このとき、ドームカバー６の嵌合円柱凸部６ｆは、トップケース５の取付面５ａに設けられた嵌合凹部５ｃと嵌合し、嵌合円柱凸部６ｆの上面と嵌合凹部５ｃの天面が当接する。
【００３９】
この構造によって光学部品であるドームカバー６は、トップケース５に対して所望の位置に固定される。
【００４０】
段付きネジ１２は、先端部がネジになっている雄ネジ部、雄ネジ部と反対方向に向かって、雄ネジ部より径が大きい段部１２ａ、段部１２ａより径が大きいネジ頭部を有する金属部材である。段付きネジ１２の段部１２ａとドームカバー６の段部貫通孔６ｇとの間には適度な隙間を有する。この隙間は後述するが、ドームカバー６が押下された時に、ドームカバー６が円滑に略垂直移動するための隙間である。
【００４１】
基台１５は、回転部材２６を回転支持する回転支持部１５ｂとは別に、主面１５ａから立設したインナーカバー１６の側面と上下左右方向に略当接摺動する複数のガイド凸部１５ｃを有する（図２、図３（ｂ）参照）。ガイド凸部１５ｃは、後述するが、インナーカバー１６の水平方向の移動を規制する部材である。
【００４２】
なお、本実施形態では、スライド部材２２を用いてドームカバー６の下方向への移動を回転部材２６に伝えた。しかし、ドームカバー６のフランジ部６ａと回転部材２６の力点部２６ａとの距離が近ければ、スライド部材２２を用いることなく、フランジ部６ａと力点部２６ａを直接当接させても良い。
【００４３】
次に、次に図４を用いて、ドームカバー６に真上から下方向に想定内の最大衝撃力（最大押圧力）が印加した際の本実施形態に係る監視カメラ装置１の状態について説明する。なお、ここでは、真上からの印加に対してドームカバー６は頂点部６ｂが最も変形しやすいので、頂点部６ｂに衝撃力が印加した時を考える。この時最もドームカバー６が変形した最大変形状態の時の状況について説明する。以下、この状態を変形状態と称する。
【００４４】
図４（ａ）は、左半分が図１（ａ）の「断面Ａ−Ａ」、右半分が図１（ａ）の「断面Ｂ−Ｂ」での監視カメラ装置１の断面図である。ただし、インナーカバー１６の先端部１６ｆは略左右対称的に図示し、ともに変形状態の図である。図４（ｂ）は、詳細図４ｂ、図４（ｃ）は、詳細図４ｃである。図４（ｃ）は、スライド部材２２の上部２２ｂがドームホルダ１１に略当接した状態で、嵌合円柱凸部６ｆと嵌合凹部５ｃの嵌合状態が外れた状態である。特に、ここでは、図４は、ドームカバー６およびスライド部材２２は、下方向に距離ｄ１移動し、インナーカバー１６は、上方向に距離Ｄ１移動した時の図とする。
【００４５】
回転部材２６の長さ関係は、［作用点部２６ｃと支点部２６ｂの距離］：［支点部２６ｂと力点部２６ａの距離］＝距離Ｄ１：距離ｄ１という関係である。
【００４６】
頂点部６ｂに衝撃が印加した際、ドームカバー６は、ドーム弾性体１０の下部１０ｄを圧縮しながら下方向に距離ｄ１移動し、ドームカバー６も変形する。
【００４７】
ドームカバー６が押圧されると同時に、回転部材２６の力点部２６ａが下方向に距離ｄ１押下され、回転部材２６の作用点部２６ｃが上昇し、この移動でインナーカバー１６が距離Ｄ１上昇する。その後、ドームカバー６が変形し、インナーカバー１６の先端部１６ｆは、ドームカバー６の接触部６ｈで接触する。
【００４８】
さらに、ドームカバー６が押圧されると、変形したドームカバー６が先端部１６ｆを押下し、作用点部２６ｃを押下する。回転部材２６の力点部２６ａと作用点部２６ｃが押下されることで、インナーカバー１６、回転部材２６、スライド部材２２、ドームカバー６で衝撃力を受止めることになりドームカバー６のさらなる変形を抑止する。
【００４９】
仮に［インナーカバー１６の上昇距離Ｄ１］＝［ドームカバー６の移動距離ｄ１］とするとドームカバー６は、カメラユニット２から距離Ｄ１だけ垂直方向に遠ざけた位置で変形抑止出来る。距離Ｄ１＞距離ｄ１とすると、ドームカバー６の接触部６ｈがインナーカバー１６を押返し、回転部材２６の力点部２６ａと作用点部２６ｃでの力のバランスが崩れるので挙動が不安定になりやすい。
【００５０】
さらに強い力が作用した時には、スライド部材２２の上部２２ｂがドームホルダ１１と接触し、ドームカバー６の移動は規制されることで、ドーム弾性体１０の変形量が大きくなり復元力が劣化するのを防いでいる。また、［ドームカバー６の剛性］＞［ドーム弾性体１０の剛性］とすることで、衝撃のエネルギーは、まず、ドーム弾性体１０が吸収する。
【００５１】
ドームカバー６に加わった衝撃力（押圧力）が減衰すると、ドームカバー６、および、ドーム弾性体１０の復元力によりドームカバー６の位置は通常状態に復帰する。ドームカバー６の嵌合円柱凸部６ｆとトップケース５の嵌合凹部５ｃは再び嵌合状態となる。ドームカバー６は、トップケース５に対して所望の位置に復帰する。そのため、監視カメラ装置１は、画像が劣化することなく撮影を継続できる。
【００５２】
次に、衝撃力がわずかでも水平方向に傾斜した方向から印加した場合について説明する。
【００５３】
この場合は、ドームカバー６自体の変形量は、頂点部６ｂに受けた場合より小さくなる。ドームカバー６が下方向と同時に水平方向に移動することで、ドームカバー６の嵌合円柱凸部６ｆとトップケース５の嵌合凹部５ｃとの嵌合状態は一時的に解除される。段部貫通孔６ｇと段付きネジ１２の段部１２ａとの隙間の分だけ、ドームカバー６は、水平方向に移動する。この水平方向の移動で、フランジ部６ａがドーム弾性体１０を圧縮するので衝撃力の一部を吸収する。
【００５４】
ここで、仮に水平方向に変形したドームカバー６がインナーカバー１６に接触した場合には、基台１５から立設するガイド凸部１５ｃがインナーカバー１６の水平方向の移動を規制する。そのため変形したドームカバー６はカメラユニット２に接触しない。ドームカバー６に加わった衝撃力が減衰すると、衝撃力が印加する前と同様の通常状態に復帰し、画像が劣化することなく撮影を継続できる。
【００５５】
このように、光学性能を優先してドームカバーの大径化、薄肉化を行ったとしても、インナーカバー１６、回転部材２６が衝撃力を受止めることで監視カメラ装置１の大型化を避けつつ、カメラユニット２への衝撃を緩和する。
【００５６】
＜第２の実施形態＞
図５は、第２の実施形態に係る主要部である撮像ユニット１０３に係る図である。図５（ａ）は、通常状態の斜視図、図５（ｂ）は、変形状態の斜視図、図５（ｃ）は、コロ部材１３１を、通常状態、および、変形状態の時の両方を重ねて表示し、かつ、コロ部材１３１付近を分解した斜視図、である。第２の実施形態では、前述の第１の実施形態と同一部品は同一符号を付記、または、省略して示している。
【００５７】
第１の実施形態との違いは、回転部材２６の作用点部２６ｃとインナーカバー１６の底部１６ａとの間にコロ部材１３１を有していることである。
【００５８】
作用点部２６ｃが上下することでコロ部材１３１が回転する構造を有している。コロ部材１３１は、少なくとも３つの摺動部を有し、回転中心となる１つの回転軸１３１ａを有する三角形状の板材である。
【００５９】
コロ部材１３１は、回転部材２６の作用点部２６ｃと摺動する作用点摺動部１３１ｂと、インナーカバー１６の底部１６ａと摺動する底部摺動部１３１ｃと、基台１１５の主面１１５ａと当接摺動する基台摺動部１３１ｄと、を有する。
【００６０】
特に、インナーカバー１６の底部１６ａと摺動する底部摺動部１３１ｃは、円滑に摺動する構造になっている。パン回転台１９およびインナーカバー１６は、基台１１５に対してパン回転するので、パン回転の抵抗を増やさないようにするためである。
【００６１】
基台１１５は、複数の回転支持部１１５ｂを有し、回転支持部１１５ｂは、回転部材２６の支点部２６ｂを回転可能に支持する。基台１１５は、さらに複数のコロ支持部１１５ｄを有し、コロ支持部１１５ｄはコロ部材１３１の回転軸１３１ａを上下方向にガタを有して、回転支持している。コロ支持部１１５ｄがコロ部材１３１を上下方向にガタを有して回転支持することで基台１１５の主面１１５ａと基台摺動部１３１ｄは当接摺動する。
【００６２】
板バネ１３２（付勢部材）は、回転部材２６の作用点部２６ｃと作用点摺動面１３１ｂが常に当接するように付勢する板金で、基台１１５に一端が固定されている。
【００６３】
通常状態では、底部摺動部１３１ｃが最下位置に位置し、変形状態では、底部摺動部１３１ｃが最上位置に位置する。特に、変形状態では、底部摺動部１３１ｃと基台摺動部１３１ｄを結ぶ直線が略垂直状態になり、インナーカバー１６が下方に押下された場合、下方向への力をコロ部材１３１は直線的に支持する。直線的に支持することで、コロ部材１３１は、簡略的な形状で、かつ、略垂直方向の力に対して高剛性能を有する。コロ部材１３１を用いることで、回転部材２６に大きな負荷が掛らない構造となる。
【００６４】
第２の実施形態では、距離Ｄ１を距離ｄ１に対して大きくするとよく、インナーカバー１６は、距離Ｄ１だけ大きく上昇する。つまり、先端部１６ｆは、カメラユニット２から垂直方向に遠ざかるので、ドームカバー６の変形をインナーカバー１６が早く抑止する。第１の実施形態との違いは、インナーカバー１６から伝わる下方への力をコロ部材１３１が略垂直に支えることが出来るので出来るだけ距離Ｄ１を大きくするとよい。
【００６５】
通常状態では、インナーカバー１６は、バネ２４、板バネ１３２の付勢力により、下方に位置し、衝撃力が印加された時、つまり、変形状態の時は、回転部材２６の回転によりインナーカバー１６は、距離Ｄ１上昇する。
【００６６】
ドームカバー６に加わった衝撃力（押圧力）が減衰すると、衝撃力が印加する前と同様の通常状態に復帰し、画像が劣化することなく撮影を継続できる。
【００６７】
このように、光学性能を優先してドームカバー６の大径化、薄肉化を行ったとしても、インナーカバー１６、コロ部材１３１が衝撃力を受止めることで監視カメラ装置の大型化を避けつつ、カメラユニット２への衝撃を緩和する。
【００６８】
以上、本発明をその好適な実施形態に基づいて詳述してきたが、本発明はこれら特定の実施形態に限られるものではなく、この発明の要旨を逸脱しない範囲の様々な形態も本発明に含まれる。また、上述した実施形態の一部を適宜組み合わせても良い。
【００６９】
本発明に係る監視カメラ装置は、光学性能を優先してドームカバーの大径化、薄肉化を行ったとしても、監視カメラ装置の大型化を避けつつ、カメラユニットへの衝撃を緩和する撮像装置として有用である。
【符号の説明】
【００７０】
１  監視カメラ装置
２  カメラユニット
３  撮像ユニット
４  トップケースユニット
５  トップケース
６  ドームカバー
１０  ドーム弾性体
１４  回転構造部
１５  基台（ベース部）
１６  インナーカバー
１９  パン回転台（パン回転部）
２１  移動機構部
２２  スライド部材
２６  回転部材
１３１  コロ部材
１３２  板バネ
【図１】
2020177117.tif 000003
【図２】
2020177117.tif 000004
【図３】
2020177117.tif 000005
【図４】
2020177117.tif 000006
【図５】
2020177117.tif 000007